(57)【要約】【課題】  描画工程を撮影して記録する際に、描画に用いる筆記具や腕などによって描画中の文字や図形が隠れることを抑制する。【解決手段】  表面側に文字や図形が描画され裏面側に文字や図形の像が透過する透過板と、透過板の裏面側に透過した像を透過板に対して４５°未満の角度で傾斜した鏡面に映して反転させる鏡板と、を有し、鏡板にて反転された像が撮影手段により撮影され、透過板の法線と撮影手段の撮影方向との挟角が鏡面の法線により略２等分されている。【選択図】図１
2009098411.tif 000002
【特許請求の範囲】
【請求項１】
表面側に文字や図形が描画され裏面側に前記文字や図形の像が透過する透過板と、
前記透過板の裏面側に透過した像を前記透過板に対して４５°未満の角度で傾斜した鏡面に映して反転させる鏡板と、を有し、
前記鏡板にて反転された像が撮影手段により撮影され、
前記透過板の法線と前記撮影手段の撮影方向との挟角が前記鏡面の法線により略２等分されている
ことを特徴とする描画工程撮影装置。
【請求項２】
表面側に文字や図形が描画され裏面側に前記文字や図形の像が透過する透過板と、
前記透過板の裏面側に透過した像を前記透過板に対して略４５°の角度で傾斜した斜面に映して反転させる直角プリズムと、を有し、
前記斜面にて反転された像が撮影手段により撮影され、
前記直角プリズムの入光面と前記透過板とが略平行であり、前記直角プリズムの出光面の法線と前記撮影手段の撮影方向とが略一致している
ことを特徴とする描画工程撮影装置。
【請求項３】
前記透過板の表面にはシート部材が敷かれ、前記シート部材の表面に文字や図形が描画され、前記シート部材の裏面側に透過した前記文字や図形の像が前記透過板の裏面側に透過する
ことを特徴とする請求項１又は２に記載の描画工程撮影装置。
【請求項４】
前記透過板の表面に対して仰角が１０°以下の方向から光を照射する照明手段を有することを特徴とする請求項１から３のいずれかに記載の描画工程撮影装置。
【請求項５】
前記透過板の描画領域を挟んで対向するように設けられ、前記描画領域の両側から光を照射する一対の照明手段を有する
ことを特徴とする請求項１から３のいずれかに記載の描画工程撮影装置。
【請求項６】
前記透過板の下方側の外周は遮光部材に覆われる
ことを特徴とする請求項１から５のいずれかに記載の描画工程撮影装置。
【請求項７】
前記撮影手段により撮影中の像あるいは撮影済みの像が表示手段により表示される
ことを特徴とする請求項１から６のいずれかに記載の描画工程撮影装置。
【請求項８】
前記描画される文字や図形を解説する音声や効果音が録音手段により記録される
ことを特徴とする請求項１から７のいずれかに記載の描画工程撮影装置。
【請求項９】
透過板の表面側に文字や図形を描画して裏面側に前記文字や図形の像を透過させる工程と、
前記透過板の裏面側に透過した像を前記透過板に対して４５°未満の角度で傾斜した鏡板の鏡面に映して反転させる工程と、
前記反射面にて反転した像を撮影手段により撮影して記録媒体に記録する工程と、を有し、
前記透過板の法線と前記撮影手段の撮影方向との挟角が前記鏡面の法線により略２等分されている
ことを特徴とする描画工程記録媒体の製造方法。
【請求項１０】
透過板の表面側に文字や図形を描画して裏面側に前記文字や図形の像を透過させる工程
と、
前記透過板の裏面側に透過した像を前記透過板に対して４５°の角度で傾斜した直角プリズムの斜面に映して反転させる工程と、
前記反射面にて反転した像を撮影手段により撮影して記録媒体に記録する工程と、を有し、
前記直角プリズムの入光面と前記透過板とが略平行であり、前記直角プリズムの出光面の法線と前記撮影手段の撮影方向とが略一致している
ことを特徴とする描画工程記録媒体の製造方法。
【請求項１１】
前記透過板の裏面側に文字や図形の像を透過させる工程は、前記透過板の表面にシート部材を敷き、前記シート部材の表面に文字や図形を描画し、前記シート部材の裏面側に透過した前記文字や図形の像を前記透過板の裏面側に透過させる工程を含む
ことを特徴とする請求項９又は１０に記載の描画工程撮影装置。
【請求項１２】
前記透過板の表面に対して仰角が１０°以下の方向から光を照射する工程を有する
ことを特徴とする請求項９から１１のいずれかに記載の描画工程記録媒体の製造方法。
【請求項１３】
前記透過板の描画領域を挟んで対向するように両側から光を照射する工程を有する
ことを特徴とする請求項９から１１のいずれかに記載の描画工程記録媒体の製造方法。
【請求項１４】
前記透過板の下方側の外周は遮光部材で覆われている
ことを特徴とする請求項９から１３のいずれかに記載の描画工程記録媒体の製造方法。
【請求項１５】
前記記録媒体に記録中の像あるいは記録済みの像を表示装置に表示する工程を有する
ことを特徴とする請求項９から１４のいずれかに記載の描画工程記録媒体の製造方法。
【請求項１６】
前記描画される文字や図形を解説する音声や効果音を記録媒体に記録する工程を有することを特徴とする請求項９から１５のいずれかに記載の描画工程記録媒体の製造方法。
【発明の詳細な説明】
【技術分野】
【０００１】
本発明は、文字や図形の描画工程を記録する描画工程撮影装置、及び描画工程が記録された描画工程記録媒体の製造方法に関する。
【背景技術】
【０００２】
習字等を学習する際には、例えば、師範等が書き上げたお手本等が学習教材として用いられる。しかしながら、このように既に書き上げてあるお手本を学習教材として用いる場合には、筆順、筆圧、筆運びの速度、筆先の使い方など、描画工程における種々の要素を学習することが困難な場合がある。そこで、師範等が描画する様子を撮影して記録し、この映像を学習教材として用いる場合もある。
【発明の開示】
【発明が解決しようとする課題】
【０００３】
ここで、描画する様子の撮影は、描画する文字（すなわち描画される用紙）に対して正面側であって鉛直上方側から行うことが好ましい。描画される文字に対して斜め方向から撮影すると、遠近に伴って文字が歪んで撮影されてしまうとともに、正面から見た場合と比べて墨の濃淡などの印象が異なってしまう場合があるためである。しかしながら、描画工程を用紙の鉛直上方から撮影しようとしても、描画に用いる筆記具や腕などにより、描画中の文字や図形の一部が隠れてしまう場合がある。
【０００４】
本発明にかかる描画工程撮影装置、及び描画工程記録媒体の製造方法は、文字や図形の描画工程を撮影して記録する際に、描画に用いる筆記具や腕などによって描画中の文字や図形が隠れてしまうことを抑制する。
【課題を解決するための手段】
【０００５】
本発明の第１の態様によれば、表面側に文字や図形が描画され裏面側に前記文字や図形の像が透過する透過板と、前記透過板の裏面側に透過した像を前記透過板に対して４５°未満の角度で傾斜した鏡面に映して反転させる鏡板と、を有し、前記鏡板にて反転された像が撮影手段により撮影され、前記透過板の法線と前記撮影手段の撮影方向との挟角が前記鏡面の法線により略２等分されている描画工程撮影装置が提供される。
【０００６】
本発明の第２の態様によれば、表面側に文字や図形が描画され裏面側に前記文字や図形の像が透過する透過板と、前記透過板の裏面側に透過した像を前記透過板に対して略４５°の角度で傾斜した斜面に映して反転させる直角プリズムと、を有し、前記斜面にて反転された像が撮影手段により撮影され、前記直角プリズムの入光面と前記透過板とが略平行であり、前記直角プリズムの出光面の法線と前記撮影手段の撮影方向とが略一致している描画工程撮影装置が提供される。
【０００７】
本発明の第３の態様によれば、前記透過板の表面には紙が敷かれ、前記紙の表面に文字や図形が描画され、前記紙の裏面側に透過した前記文字や図形の像が前記透過板の裏面側に透過する第１又は２の態様に記載の描画工程撮影装置が提供される。
【０００８】
本発明の第４の態様によれば、前記透過板の表面に対して仰角が１０°以下の方向から光を照射する照明手段を有する第１から３のいずれかの態様に記載の描画工程撮影装置が提供される。
【０００９】
本発明の第５の態様によれば、前記透過板の描画領域を挟んで対向するように設けられ
、前記描画領域の両側から光を照射する一対の照明手段を有する第１から３のいずれかの態様に記載の描画工程記録装置が提供される。
【００１０】
本発明の第６の態様によれば、前記透過板の下方側の外周は遮光部材に覆われる第１から５のいずれかの態様に記載の描画工程撮影装置が提供される。
【００１１】
本発明の第７の態様によれば、前記撮影手段により撮影中の像あるいは撮影済みの像が表示手段により表示される第１から６のいずれかの態様に記載の描画工程撮影装置が提供される。
【００１２】
本発明の第８の態様によれば、前記描画される文字や図形を解説する音声や効果音が録音手段により記録される第１から７のいずれかの態様に記載の描画工程撮影装置が提供される。
【００１３】
本発明の第９の態様によれば、透過板の表面側に文字や図形を描画して裏面側に前記文字や図形の像を透過させる工程と、前記透過板の裏面側に透過した像を前記透過板に対して４５°未満の角度で傾斜した鏡板の鏡面に映して反転させる工程と、前記反射面にて反転した像を撮影手段により撮影して記録媒体に記録する工程と、を有し、前記透過板の法線と前記撮影手段の撮影方向との挟角が前記鏡面の法線により略２等分されている描画工程記録媒体の製造方法が提供される。
【００１４】
本発明の第１０の態様によれば、透過板の表面側に文字や図形を描画して裏面側に前記文字や図形の像を透過させる工程と、前記透過板の裏面側に透過した像を前記透過板に対して４５°の角度で傾斜した直角プリズムの斜面に映して反転させる工程と、前記反射面にて反転した像を撮影手段により撮影して記録媒体に記録する工程と、を有し、前記直角プリズムの入光面と前記透過板とが略平行であり、前記直角プリズムの出光面の法線と前記撮影手段の撮影方向とが略一致している描画工程記録媒体の製造方法が提供される。
【００１５】
本発明の第１１の態様によれば、前記透過板の裏面側に文字や図形の像を透過させる工程は、前記透過板の表面に紙を敷き、前記紙の表面に文字や図形を描画し、前記紙の裏面側に透過した前記文字や図形の像を前記透過板の裏面側に透過させる工程を含む第９又は１０の態様に記載の描画工程記録媒体の製造方法が提供される。
【００１６】
本発明の第１２の態様によれば、前記透過板の表面に対して仰角が１０°以下の方向から光を照射する工程を有する第９から１１のいずれかの態様に記載の描画工程記録媒体の製造方法が提供される。
【００１７】
本発明の第１３の態様によれば、前記透過板の描画領域を挟んで対向するように両側から光を照射する工程を有する第９から１１のいずれかの態様に記載の描画工程記録媒体の製造方法が提供される。
【００１８】
本発明の第１４の態様によれば、前記透過板の下方側の外周は遮光部材で覆われている第９から１３のいずれかの態様に記載の描画工程記録媒体の製造方法が提供される。
【００１９】
本発明の第１５の態様によれば、前記記録媒体に記録中の像あるいは記録済みの像を表示装置に表示する工程を有する第９から１４のいずれかの態様に記載の描画工程記録媒体の製造方法が提供される。
【００２０】
本発明の第１６の態様によれば、前記描画される文字や図形を解説する音声や効果音を記録媒体に記録する工程を有する第９から１５のいずれかの態様に記載の描画工程記録媒
体の製造方法が提供される。
【発明の効果】
【００２１】
本発明にかかる描画工程撮影装置、及び描画工程記録媒体の製造方法によれば、文字や図形の描画工程を撮影して記録する際に、描画する筆や腕などにより描画中の文字や図形が隠れてしまうことを抑制できる。
【発明を実施するための最良の形態】
【００２２】
（１）本発明の第１の実施形態
以下に、本実施形態にかかる描画工程撮影装置の構成について、図面を参照しながら説明する。図１は、本発明の第１の実施形態にかかる描画工程撮影装置の概略構成図を示している。また、図２は、本発明の第１の実施形態にかかる描画工程撮影装置の概略構成図であり、（ａ）は側面図を示し、（ｂ）は上面図を示している。
【００２３】
本実施形態にかかる描画工程撮影装置は、表面側に文字や図形が描画され裏面側に文字や図形の像が透過する透過板１０と、透過板１０の裏面側に透過した像を反転させる鏡板２０と、を有している。なお、鏡面２０ａにて反転された像は撮影手段３０により撮影される。
【００２４】
＜透過板＞
透過板１０は、表面１０ａと裏面１０ｂとを有し、表面１０ａ側に描画される文字や図形の像を裏面１０ｂ側に透過させることが可能な部材として構成されている。透過板１０を構成する材料としては、例えば、ガラスやアクリル等の透光性材料が挙げられる。透過板１０は無色透明であることが好ましいが、表面１０ａ側に描画される文字や図形の像を裏面１０ｂ側に透過させることが可能である限り、着色されていても構わない。透過板１０の形状は、長方形などの多角形であってもよく、円形であってもよい。なお、透過板１０は、略水平姿勢で設けられている。
【００２５】
透過板１０の表面１０ａ側には、文字や図形等が描画される。具体的には、透過板１０の表面１０ａには半紙などの半透明に構成されたシート部材１１が敷かれ、このシート部材１１の表面側に、筆１５等の筆記具と墨汁等のインクとを用いて文字や図形等が描画される。シート部材１１は、筆１５から供給されるインクを、シート部材１１の裏面側に透過させるように構成されている。ここで、インクがにじみ過ぎれば描画される文字や図形が崩れてしまい、またシート部材１１が破れたりすることがあるため、インクの粘度や成分は、シート部材１１の材質（紙質等）により定めることが好ましい。なお、描画時のシート部材１１の破れを防止するとともに、透過板１０の表面１０ａへのインクの付着を防止するため、シート部材１１の裏面を耐水性を有する透明な膜でラミネートしてもよい。また、透過板１０の表面１０ａへのインクの付着を防止するには、シート部材１１と透過板１０との間に、例えば、使い捨ての透明な薄膜を挟んでもよい。
【００２６】
上述の通り、透過板１０は透光性を有するため、シート部材１１に描画された文字や図形の像（シート部材１１の裏面側に透過した像）は、透過板１０の裏面１０ｂ側から、左右あるいは上下が反転した形で観察することが可能である。
【００２７】
また、上述の通りシート部材１１は半透明に構成されているため、描画に用いる筆１５腕などの像は、シート部材１１の裏面側にほとんど透過されない。その結果、透過板１０の裏面１０ｂ側からは、文字や図形の像が主として観察され、描画に用いる筆１５や腕などの像はほとんど観察されない。なお、筆１５の軸の色を半紙と同色としたり、また、筆１５を持つ腕には半紙と同色の手袋をはめることにより、描画に用いる筆１５や腕などの像の透過をさらに抑制することができる。
【００２８】
なお、文字や図形を描画する際には、シート部材１１に描画するのではなく、透過板１０の表面１０ａ上に直接描画してもよい。この場合、文字や図形の像のみが透過板１０の裏面１０ｂ側に透過されるように、すなわち、描画に用いる筆１５や腕などの像が透過板１０の裏面１０ｂ側に透過されないように、表面１０ａを擦りガラス状に形成することが好ましい。
【００２９】
＜鏡板＞
像を反転させる手段としての鏡板２０は、透過板１０の裏面１０ｂ側に透過した像を映して反転させる鏡面２０ａを備えている。上述の通り、透過板１０の裏面１０ｂ側からは、文字や図形の像が左右あるいは上下に反転した形で観察される。したがって、鏡面２０ａにてさらに反転された像は、反転が元に戻った像になる。なお、鏡面２０ａ上には、上述したとおり、主として描画される文字や図形の像のみが主として映り、描画に用いる筆１５や腕などの像はほとんど映らない。
【００３０】
なお、図２に示すとおり、鏡板２０は、透過板１０の下方側に、透過板１０に対して傾斜した姿勢で設けられている。具体的には、鏡面２０ａは、撮影手段３０に対向するように（すなわち撮影手段３０に近いほうが下がり、遠いほうが上がるように）、そして、透過板１０との挟角がθｒになるように、傾斜して設けられている。なお、鏡面２０ａと透過板１０との挟角θｒを小さくするほど、鏡面２０ａと透過板１０との距離が面内全域にわたり略均等な距離となり、鏡面２０ａに映る像において、鏡面２０ａと透過板１０との傾きに基づく歪み（すなわち、面間の距離が近いと像が大きくなり、遠いと像が小さくなる歪み）が小さくなるため好ましい。従って、本実施形態においては、鏡面２０ａと透過板１０との挟角θｒを４５°未満としている。なお、好ましくは挟角θｒを１５°未満とすることが好ましい。なお、鏡面２０ａと透過板１０との挟角θｒは、透過板１０と鏡面２０ａとの距離２０Ｌ、及びシート部材１１の大きさによってその下限が定める。
【００３１】
＜撮影手段＞
撮影手段３０は、鏡面２０ａを撮影して、鏡面２０ａにて反転された像（すなわち文字や図形等の像の反転が元に戻った像）を、テープやディスクなどの記録媒体にデジタル動画データとして録画（記録）するように構成されている。なお、本発明は、撮影手段３０が、デジタル動画として映像を記録する場合に限らず、アナログ動画データとして記録する場合にも適用可能である。
【００３２】
なお、撮影手段３０は、「透過板１０の法線１０ｎ」と「撮影手段３０の撮影方向３０ｎ」との挟角が、「鏡面２０ａの法線２０ｎ」によって略２等分されるように配置されている。具体的には、鏡面２０ａと透過板１０との挟角がθｒであることから、「透過板１０の法線１０ｎ」と「鏡面２０ａの法線２０ｎ」との挟角はθｒとなるため、「撮影手段３０の撮影方向３０ｎ」と「鏡面２０ａの法線２０ｎ」との挟角がθｒとなる位置に撮影手段３０が配置されている。従って、撮影手段３０は、透過板１０の裏面側から入射角θｒで鏡面２０ａに入射した光、すなわち、反射角θｒで鏡面２０ａにより反射された反射光を、正面から受光することが可能なように配置されている。そのため、撮影手段３０により撮影される映像は、歪みが小さい像となっている。
【００３３】
なお、図１及び図２において、撮影手段３０を透過板１０の表面１０ａ側に配置しているが、描画される文字や図形等の像の鏡面２０ａ上への投影を妨げない限り、撮影手段３０を透過板１０の裏面１０ｂ側に配置しても構わない。
【００３４】
続いて、本発明の一実施形態にかかる描画工程記録媒体の製造方法について説明する。なお、本実施形態にかかる描画工程記録媒体の製造方法は、上述した描画工程撮影装置に
より実施される。
【００３５】
まず、透過板１０の表面１０ａ上に、半紙などのシート部材１１を敷いて、文鎮等により固定する。ここで文鎮による光の乱反射を防ぐよう、文鎮の表面はつや消しの黒色であることが好ましい。なお、透過板１０が、例えばガラスなどの摩擦係数の少ない部材で構成されている場合には、文鎮等による圧接のみではシート部材１１の保持力が不足する場合もあるため、例えば、シート部材１１の固定には粘着テープなどを用いてもよい。なお、その際、粘着テープの影が透過板１０の裏面１０ｂ側に透過されないように、粘着テープは透明な材料を選択することが好ましい。
【００３６】
続いて、撮影手段３０の焦点を、鏡面２０ａ及び透過光板１０を経由して、シート部材１１の裏面に合わせる。また、撮影手段３０のアイリス（絞り）を調整して、露出を適正化する。
【００３７】
続いて、筆１５などの筆記具を用いて、シート部材１１の表面に文字や図形などを描画する。その結果、シート部材１１に描画される文字や図形の像は、左右あるいは上下反転した形で透過板１０の裏面１０ｂ側から観察される。なお、描画に用いる筆１５や筆を持つ腕などの像は、透過板１０の裏面１０ｂ側にはほとんど透過されない。
【００３８】
描画の進行に合わせて、透過板１０の裏面１０ｂ側に透過した文字や図形の像を上述の鏡面２０ａに映して反転させる。その結果、反転がもとに戻った像（反転のない像）が鏡面２０ａ上にて観察できる。
【００３９】
そして、描画の進行に合わせて、鏡面２０ａにて反転させた像（反転のない像）を、撮影手段３０を用いて撮影して、テープやディスク等の記録媒体に動画データとして録画（記録）する。なお、撮影手段３０は、「透過板１０の法線１０ｎ」と「撮影手段３０の撮影方向３０ｎ」との挟角が、「鏡面２０ａの法線２０ｎ」によって略２等分されるように配置する。
【００４０】
描画の完了後に、撮影手段３０を停止させて録画を中断し、本実施形態にかかる描画工程記録媒体の製造方法の実施を完了する。その後は、描画済みのシート部材１１や透過板１０の表面１０ａに付着したインクを除去する。
【００４１】
本実施形態によれば、以下の（ａ）〜（ｇ）のうち１つまたは複数の効果を得ることが出来る。
【００４２】
（ａ）本実施形態によれば、文字や図形の描画工程を動画データとして記録した描画工程記録媒体を製造することが可能となる。すなわち、筆順、筆圧、筆運びの速度、筆先の使い方など、描画工程における種々の要素を動画データとして記録することが可能である。そのため、動画が記録された描画工程記録媒体を、例えば、学習教材として用いる場合にはその学習効果を高めることが可能となり、観賞用美術品等としても用いる場合には美的効果を高めることが可能になる。
【００４３】
（ｂ）また、本実施形態によれば、シート部材１１が半透明に構成されているか、あるいは透過板１０の表面１０ａが擦りガラス状に形成されているため、透過板１０の裏面１０ｂ側には、描画される文字や図形の像が主として透過し、描画に用いる筆１５や腕などの像はほとんど透過されない。したがって、文字や図形の描画工程を動画データとして撮影する際に、描画に用いる筆１５や腕などにより描画中の文字や図形が隠れてしまうことを抑制できる。そのため、描画工程記録媒体を学習教材として用いる場合には、学習効果をより高めることが出来、観賞用美術品等としても用いる場合には、美的効果をより高める
ことが可能になる。
【００４４】
（ｃ）また、本実施形態によれば、透過板１０の裏面１０ｂ側に透過した文字や図形の像を、鏡面２０ａに映して反転させてから撮影している。現在、市販されているビデオカメラはデジタルカメラが主流であり、反転機能を有さないものがほとんどである。本実施形態によれば、このように入手が容易なビデオカメラ（デジタルビデオカメラ）を撮影手段３０として用いることができる。そのため、描画工程撮影装置の製造コストを低減することが出来るとともに、描画工程記録媒体の製造コストを低減することが出来る。
【００４５】
（ｄ）また、本実施形態によれば、画像処理ソフトなどを用いて動画データの反転処理を行う必要がない。そのため、描画工程撮影装置の製造コストを低減することが出来るとともに、描画工程記録媒体の製造コストを低減することが出来る。
【００４６】
（ｅ）また、本実施形態によれば、鏡面２０ａと透過板１０との挟角θｒを４５°未満とし、好ましくは１５°未満としている。そのため、鏡面２０ａに映る像（撮影手段３０により撮影する像）において、鏡面２０ａと透過板１０との傾きに基づく歪み（すなわち、面間の距離が近いと像が大きくなり、遠いと像が小さくなる歪み）を小さくさせることが出来る。
【００４７】
（ｆ）また、本実施形態によれば、「透過板１０の法線１０ｎ」と「撮影手段３０の撮影方向３０ｎ」との挟角が、「鏡面２０ａの法線２０ｎ」によって略２等分される位置に、撮影手段３０を配置されている。従って、撮影手段３０は、透過板１０の裏面側から法線１０ｎに沿って入射角θｒで鏡面２０ａに入射し、反射角θｒで鏡面２０ａにて反射された反射光を、正面から受光することが可能である。そのため、撮影手段３０により撮影される像において歪みを小さくさせることが出来る。
【００４８】
（ｇ）また、本実施形態によれば、撮影手段３０は、「透過板１０の法線１０ｎ」と「撮影手段３０の撮影方向３０ｎ」との挟角が、「鏡面２０ａの法線２０ｎ」によって略２等分される位置に配置されている。そのため、透過板１０から撮影手段３０の受光面までの光路差が小さくなり、画面全体にわたり焦点が合った映像を得やすくなる。
【００４９】
（２）本発明の第２の実施形態
以下に、本発明の第２の実施形態としての描画工程撮影装置の構成について、図面を参照しながら説明する。図３は、本発明の他の実施形態にかかる照明手段を有する描画工程撮影装置の概略構成図であり、（ａ）は上面図を示し、（ｂ）は側面図を示している。
【００５０】
図３に示すとおり、本実施形態にかかる描画工程撮影装置は、照明手段４０，４１を有する点が第１の実施形態と異なる。他の構成は第１の実施形態とほぼ同一である。
【００５１】
照明手段４０，４１は、文字や図形が描画される透過板１０の表面１０ａに対して、仰角θｔが１０°以下の方向から（すなわち略水平方向から）光を照射するように構成されている。ここで仰角θｔとは、図３（ｂ）に示すとおり、照明手段４０，４１の光源の中心と透過板１０上の描画領域１２の中心とを結ぶ線と、透過板１０の表面１０ａと、に挟まれる角度をいう。
【００５２】
また、本実施形態にかかる描画工程記録媒体の製造方法は、透過板１０の表面側に文字や図形を描画する際に、透過板１０の表面に対して仰角が１０°以下の方向から（すなわち略水平方向から）光を照射する点が、第１の実施形態と異なる。他の構成は第１の実施形態とほぼ同一である。
【００５３】
照明手段４０，４１を用い、仰角θｔが１０°以下の方向から光を照射することにより、描画に用いる筆１５や腕などの影がシート部材１１上（すなわち透過板１０の表面１０ａ上）に形成されにくくなる。その結果、撮影手段３０により撮影した映像に、描画に用いる筆１５や腕などの影が映ってしまうことを抑制できる。
【００５４】
また、本実施の形態のように、透過板１０の裏面１０ｂ側からではなく、表面１０ａ側から光を照明することで、良好な映像を撮影することが可能となる。仮に、透過板１０の裏面１０ｂ側から光を照射した場合には、透過板１０の裏面１０ｂ側に照明手段４０，４１自身が反射して映像に映りこんでしまったり、あるいは、シート部材１１の裏面の凹凸が強調されてしまう場合があるが、本実施形態のように、透過板１０およびシート部材１１を透過した光を撮影することによって、このような問題を回避することが出来る。
【００５５】
なお、照明手段４０，４１としては、例えば蛍光灯のように、光の指向性が少なく、光源の表面積が大きな照明を使うことが好ましい。このような照明を用いることにより、透過板１０上に影が形成されることを抑制することが出来る。
【００５６】
また、図３において、シート部材１１の上側だけに照明手段を設けているが、撮影手段３０による撮影を妨げない限りはシート部材１１の右側あるいは左側に設けてもよく、また、シート部材１１の下側に設けてもよい。ただし、筆記具を持つ腕の影を表示させないように、シート部材１１の右側や左側に設けるよりも、シート部材の上側あるいは下側に設けることが好ましい。
【００５７】
なお、図３において、２個の照明手段を設ける構成を示しているが、本発明では照明手段の個数は２個に限定されず、１個であってもよく、３個以上であってもよい。
【００５８】
なお、図５に示すように、照明手段４０，４１を用いて透過板１０の表面１０ａを照射する場合には、透過板１０の下方側の外周を、暗幕や遮光板などの遮光部材５０で覆うことが好ましい。これにより、撮影手段３０により外部からの迷光を受光してしまうことを抑制でき、ノイズの少ない映像を記録することが出来る。なお、透過板１０上に撮影手段３０を設置する場合には、撮影手段３０の外周も併せて遮光部材で覆うことが好ましい。また、透過板１０の上面には照明手段４０，４１による光のみが照射されるように、描画工程撮影装置を設置する室内も遮光することが好ましい。
【００５９】
（３）本発明の第３の実施形態
以下に、本発明の第３の実施形態としての描画工程撮影装置の構成について、図面を参照しながら説明する。図４は、本発明の他の実施形態にかかる照明手段を有する描画工程撮影装置の概略構成図であり、（ａ）は上面図を示し、（ｂ）は側面図を示している。
【００６０】
図４に示すとおり、本実施形態にかかる描画工程撮影装置は、一対の照明手段４０ａと４０ｂ、及び４１ａと４１ｂを有する点が、第１の実施形態と異なる。他の構成は第１の実施形態とほぼ同一である。
【００６１】
一対の照明手段４０ａと４０ｂ、及び４１ａと４１ｂは、透過板１０の表面１０ａ上における文字や図形が描画される描画領域１２を挟んでそれぞれ対向するように設けられ、描画領域１２の両側から光を照射するように構成されている。
【００６２】
また、本実施形態にかかる描画工程記録媒体の製造方法は、透過板１０の表面側に文字や図形を描画する際に、透過板１０の描画領域１２を挟んで対向するように両側から光を照射する点が、第１の実施形態と異なる。他の構成は第１の実施形態とほぼ同一である。
【００６３】
照明手段４０ａと４０ｂ、及び４１ａと４１ｂを用い、描画領域１２を挟んで両側から光を照射することにより、一の照明手段（４０ａ，４１ａ）により形成される影が、対向する他の照明手段（４０ｂ，４１ｂ）によってそれぞれ打ち消されて、シート部材１１上（透過板１０の表面１０ａ上）に形成されにくくなる。その結果、撮影手段３０により撮影した映像に、描画に用いる筆１５や腕などの影が映ってしまうことを抑制できる。
【００６４】
なお、本実施形態においても、第２の実施形態と同様の理由から、各照明手段の仰角θｔを１０°以下に抑えることが好ましい。また、同様の理由から、照明手段４０ａ、４０ｂ、４１ａ、４１ｂとしては、光の指向性が少なく、光源の表面積が大きな照明を使うことが好ましい。また、図４においては、照明手段を、描画領域１２を挟んで上下に対向するように設けているが、描画領域１２を挟んで左右に対向するように設けても構わない。また、図４において、２対の照明手段を設ける構成を示しているが、本発明では照明手段は２対に限定されず、１対であってもよく、３対以上であってもよい。また、本実施形態においても、同様の理由から、透過板１０の下方側の外周を暗幕や遮光板などの遮光部材５０で覆うことが好ましい。
【００６５】
（４）本発明の第４の実施形態
上述の実施形態においては、透過板１０の裏面側に透過した像を反転させる手段として鏡板２０を用いていたが、本発明はかかる構成に限定されない。本実施形態においては、図６に示すとおり、像を反転させる手段として直角プリズム２５を用いる。
【００６６】
直角プリズム２５は、例えば石英などの透光性材料から構成される多角体であって、光を入射させる入光面２５ａと、入光面２５ａから入射した光を反射させる斜面２５ｂと、斜面２５ｂにて反射された光を取り出す出光面２５ｃと、を有する。入光面２５ａと出光面２５ｃとに挟まれる角度（頂角の角度）は９０°となっており、入光面２５ａと斜面２５ｂとに挟まれる角度、及び出光面２５ｃと斜面２５ｂとに挟まれる角度はそれぞれ４５°となっている。
【００６７】
本実施形態においては、直角プリズム２５は透過板１０の下方側に設けられている。そして、直角プリズム２５の入光面２５ａと透過板１０とは略平行に設けられている。そして、直角プリズム２５の斜面２５ｂは、透過板１０に対して略４５°の傾斜になるように設けられている。そして、直角プリズム２５の出光面２５ｃと撮影手段３０の受光面とは当接し、直角プリズム２５の出光面２５ｃの法線と撮影手段３０の撮影方向３０ｎとは略一致するように設けられている。なお、直角プリズム２５の入光面２５ａと透過板１０との距離は撮影手段３０の有する受光光学系の光学性能（焦点距離や開口など）によって定められる。
【００６８】
その結果、透過板１０の裏面側に透過した像（像を形成する透過光）は、入光面２５ａを介して直角プリズム２５内に入射し、斜面２５ｂにより反転され、出光面２５ｃから取り出されて、撮影手段３０により撮影される。
【００６９】
本実施形態のように像の反転手段として直角プリズム２５を用いれば、撮影手段３０と直角プリズム２５とを一体化して固定することができ、撮影手段３０と直角プリズム２５との配置関係等の調整が容易になるという効果が得られる。また、描画工程撮影装置を小型化できるという効果も得られる。
【００７０】
（５）本発明の他の実施形態
上述の実施形態にかかる描画工程撮影装置には、撮影手段３０により撮影中の像、あるいは撮影済みの像を表示する表示手段６０をさらに設けてもよい。撮影手段３０により撮影中の像を表示手段６０に表示させるようにすれば、鏡板、撮影手段、照明手段等の描画
工程撮影装置の各構成要素の配置、撮影手段３０の焦点や絞り調整等が、表示手段６０を見ながら容易に出来るようになり、好ましい。
【００７１】
また、上述の描画工程撮影装置には、描画される文字や図形を解説する音声（ナレーション）、効果音、ＢＧＭ等を録音する録音手段を設けてもよい。そして、上述の描画工程記録媒体の製造方法には、音声、効果音、ＢＧＭ等を録音する録音工程を設けてもよい。動画データの再生と併せて再生される音声や効果音等が、描画工程記録媒体に併せて記録されれば、これを教材としたときの学習効果や、これを鑑賞用美術品としたときの美観等をより高めることが可能になるからである。
【図面の簡単な説明】
【００７２】
【図１】本発明の第１の実施形態にかかる描画工程撮影装置の概略構成図である。
【図２】本発明の第１の実施形態にかかる描画工程撮影装置の概略構成図であり、（ａ）は側面図を示し、（ｂ）は上面図を示している。
【図３】本発明の第２の実施形態にかかる照明手段を有する描画工程撮影装置の概略構成図であり、（ａ）は上面図を示し、（ｂ）は側面図を示している。
【図４】本発明の第３の実施形態にかかる一対の照明手段を有する描画工程撮影装置の概略構成図であり、（ａ）は上面図を示し、（ｂ）は側面図を示している。
【図５】透過板の下方側の外周等が遮光部材により覆われている様子を示す概略構成図である。
【図６】像の反転手段としてプリズムを用いた場合の描画工程撮影装置の側面図を示す。
【図７】表示手段を有する描画工程撮影装置の概略構成図である。
【符号の説明】
【００７３】
１０      透過板
１０ａ    透過板の表面
１０ｂ    透過板の裏面
１０ｎ    透過板の法線
１１      シート部材
１２      描画領域
１５      筆
２０      鏡板
２０ａ    反射面
２５      直角プリズム
２５ａ    入光面
２５ｂ    斜面
２５ｃ    出光面
３０      撮影手段
３０ｎ    撮影方向
４０、４１      照明手段
４０ａ、４０ｂ、４１ａ、４１ｂ      一対の照明手段
５０      遮光部材
６０      表示手段
【図２】
2009098411.tif 000003
【図３】
2009098411.tif 000004
【図４】
2009098411.tif 000005
【図５】
2009098411.tif 000006
【図６】
2009098411.tif 000007
【図１】
2009098411.tif 000008
【図７】
2009098411.tif 000009